【事件の表示】
　特許第３０７４２７３号「ガラスびん成形機の粗型成形装置」の請求項１ないし３に係る特許に対する特許異議の申立てについて、次のとおり決定する。
【結　論】
　訂正を認める。
　特許第３０７４２７３号の請求項１ないし２に係る特許を維持する。
【理　由】
１、手続の経緯
　本件特許第３０７４２７３号は、平成１１年６月２３日の特許出願に係るものであって、平成１２年６月２日に請求項１〜３に係る発明について特許権の設定の登録がされたものであり、その後、請求項１〜３に係る特許について、有限会社ゆう技術研究所より特許異議の申立てがなされた。
　そこで、当審より特許取消理由が通知され、平成１３年７月２６日に訂正請求がなされ（なお、この訂正請求は後日取り下げられた。）、当審より特許異議申立人に対して審尋がなされ、その後、さらに当審より再度の特許取消理由が通知され、その指定期間内である平成１４年９月２日に訂正請求がなされたものである。
　
２、訂正請求について
２−１、訂正の内容
　特許権者が求めている訂正の内容は、次のとおりである。
（１）訂正事項Ａ
　本件特許の願書に添付した明細書(以下、単に「明細書」という。)の特許請求の範囲の請求項１において、
「【請求項１】　サーボモータによってプランジャを上下に駆動し、このプランジャを上昇させて、粗型内でパリソンを成形するガラスびん成形機の粗型成形装置において、
　サーボモータが上下に延びる中空部を有する回転自在なモータ本体を備え、
　このモータ本体の中空部にボールねじナットを固定し、
　このボールねじナットにボールねじを螺合し、
　このボールねじの上端部をプランジャの基端部に連結して、このプランジャの下降時には、当該ボールねじがモータ本体の中空部に格納される構成としたことを特徴とするガラスびん成形機の粗型成形装置。」とあるを、
「【請求項１】　サーボモータによってプランジャを上下に駆動し、このプランジャを上昇させて、粗型内でパリソンを成形するガラスびん成形機の粗型成形装置において、
　サーボモータが上下に延びる中空部を有する回転自在なモータ本体を備え、
　このモータ本体の中空部にボールねじナットを固定し、
　このボールねじナットにボールねじを螺合し、
　このボールねじの上端部をプランジャの基端部に連結して、このプランジャの下降時には、当該ボールねじがモータ本体の中空部に格納される構成とし、
前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成としたことを特徴とするガラスびん成形機の粗型成形装置。」に訂正する。
（２）訂正事項Ｂ
　明細書の特許請求の範囲の請求項３を削除する。
（３）訂正事項Ｃ
　明細書の段落【０００７】において、「当該ボールねじがモータ本体の中空部に格納される構成とした」とあるを、「当該ボールねじがモータ本体の中空部に格納される構成とし、前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成とした」に訂正する。
（４）訂正事項Ｄ
　明細書の段落【０００９】の「請求項３記載の発明は、請求項１又は請求項２記載のものにおいて、ボールねじが上下に貫通する孔を備え、この孔を通じて前記プランジャに冷却エアーを供給する構成としたことを特徴とするものである。」を削除する。
　
２−２、訂正の目的の適否、新規事項の有無及び拡張・変更の存否
　訂正事項Ａは、特許請求の範囲において、請求項３に記載の事項を請求項１に追加するとともに、追加した事項に関して、明細書の段落【００２０】の記載に基づいて、冷却チューブを備えるものにより限定するものであり、訂正事項Ｂは、この訂正にともなって請求項３を削除するものであるから、これらの訂正は、特許請求の範囲の減縮に該当するとともに、願書に添付した明細書及び図面に記載された事項の範囲内のものであって、新規事項の追加に該当するものではなく、かつ、実質上特許請求の範囲を拡張または変更するものでもない。
　訂正事項Ｃ、Ｄは、明細書の「発明の詳細な説明」の欄の記載を、訂正後の特許請求の範囲の記載と整合するように訂正するものであるから、これらの訂正は、明りょうでない記載の釈明に該当するとともに、願書に添付した明細書及び図面に記載された事項の範囲内のものであって、新規事項の追加に該当するものではなく、かつ、実質上特許請求の範囲を拡張または変更するものでもない。
　
２−３、まとめ
　以上のとおり、上記訂正請求は、特許法第１２０条の４第２項、及び同条第３項において準用する同法第１２６条第２〜３項の規定に適合するものであるから、当該訂正を認める。
　
３、特許異議の申立てについて
３−１、本件発明
　本件特許の明細書の特許請求の範囲は、訂正明細書のとおりに訂正されることとなり、その請求項１、２に係る発明（以下では請求項順に、「本件発明１」、「本件発明２」という。）は、訂正明細書の特許請求の範囲の請求項１、２に記載された事項により特定される次のとおりのものである。
　なお、請求項１については、分説して符号を付して記載した。
「【請求項１】
Ａ．サーボモータによってプランジャを上下に駆動し、このプランジャを上昇させて、粗型内でパリソンを成形するガラスびん成形機の粗型成形装置において、
Ｂ．サーボモータが上下に延びる中空部を有する回転自在なモータ本体を備え、
Ｃ．このモータ本体の中空部にボールねじナットを固定し、このボールねじナットにボールねじを螺合し、
Ｄ．このボールねじの上端部をプランジャの基端部に連結して、このプランジャの下降時には、当該ボールねじがモータ本体の中空部に格納される構成とし、
Ｅ．前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成とした
Ｆ．ことを特徴とするガラスびん成形機の粗型成形装置。
【請求項２】　前記ボールねじがスプライン軸部を備え、これをスプラインナットで保持し、このボールねじの周方向の回転を規制したことを特徴とする請求項１記載のガラスびん成形機の粗型成形装置。」
　
３−２、特許異議申立の理由及び当審が通知した取消理由の概要
　特許異議申立人・有限会社ゆう技術研究所は、証拠として
甲第１号証：特開平９−２２７１３３号公報
甲第２号証：国際公開第９８／０９９２１号パンフレット
甲第３号証：特開平１０−１９０４１号公報
甲第４号証：特開平９−１４２８５３号公報
を提示して、本件特許の請求項１〜３に係る発明（訂正前のもの）は、甲第１〜４号証に記載された発明に基づいて当業者が容易に発明をすることができたものであって、それらの発明に係る特許は、いずれも特許法第２９条第２項の規定に違反してされたものであるから、特許法第１１３条第１項第２号の規定に該当し取り消されるべきである、と主張している。（上記甲第１〜４号証を、以下、それぞれ「刊行物１〜４」という。）
　また、当審が通知した特許の取消しの理由は、同様に、上記刊行物１〜４及び特開平９−２１０１７０号公報（この刊行物を、以下、「刊行物５」という。）に記載された発明に基づいて当業者が容易に発明をすることができたものであるというものである。
　
３−３、刊行物の記載について
３−３−１、刊行物１：特開平９−２２７１３３号公報
「【請求項１７】・・・前記溶融ガラスのゴブを収容するためのパリソン形成用金型と、・・・ハウジングと、前記ハウジング内に取付けられたモータと、ねじを有し、前記モータ内に配置されていて、前記モータ及び前記ハウジングに関して回転できる裏返しリードねじと、前記裏返しリードねじの前記ねじと係合された複数のローラと、・・・前記ハウジング内に部分的に収容されたロッドと、を有し、・・・前記ロッドの前記前方端と前記ロッドの前記後方端との間で前記複数のローラに取付けられ、それによって、前記裏返しリードねじの回転を前記ロッドの直線移動に変えさせ、更に、前記ロッドの前記前方端に連結され、・・・ているプランジャと、・・・、前記プランジャを前記パリソン形成用金型に収納された前記溶融ガラスのゴブと接触させたり接触から離したりする手段と、を有する溶融ガラスのゴブを中空の物品に形成するための装置。」（特許請求の範囲の請求項１７）に関し記載されており、図１、２に示されるサーボプランジャ機構の説明として、
「【００１２】・・・プランジャヘッド１７１は・・・ロッド１６０に取付けられる。プランジャ組立体１００は、・・・て回転可能に支持された内部シリンダ２１０を含む。・・・図２に最も良く示すように、プランジャローラ１９０がロッド１６０に取付けられる。モータ組立体２００が、モータステータ２０５と、内部シリンダ２１０とともに電機子を形成するように内部シリンダ２１０の外面に取付けられた磁石２０６とを含む。・・・
【００１３】内部シリンダ２１０はねじ孔２１１を含み、そのねじはプランジャローラ１９０によって係合される。ロッド１６０は、内部シリンダ２１０の回転の際にロッド１６０が内部シリンダ２１０内で軸線方向に移動するようにプランジャローラ１９０と結合される。一般に“裏返しリードねじ”と称されるインボリュート─螺旋形ねじを使って回転入力を直線運動に変える、・・・
・・・・・・・・・・・・・
【００１５】・・・サーボモータ組立体２００を作動して、内部シリンダ２１０を回転させる。内部シリンダ２１０のねじ孔２１１は、ロッド１６０に取付けられたプランジャローラ１９０に係合し、かくして、プランジャ１７５を金型キャビティ（図示せず）内に閉じ込められた溶融ガラスのゴブ（図示せず）に向かって前進させる。・・・プランジャ１７５が前方に移動すると、プランジャは、ついには、金型キャビティ内の溶融ガラスと接触する（図示せず）。これは、“プレス”位置として知られる第２の位置である。」ことが記載されている。
　
３−３−２、刊行物２：国際公開第９８／０９９２１号パンフレット
　ＩＳタイプのガラス成型機における、パリソンを粗型から仕上型へサーボインバートする装置に関し、Fig.２〜４に示されたものの説明として、
「モータ１４はロータ１５ａが備えられている。・・・モータ１４のロータ１５ａは中空シャフト（Fig.４参照）でできている。・・・その中空シャフト１５ａは、内部にボールねじ軸２６を収納している。そして、リードナット２８に備えられたボールが、ボールねじ軸の螺旋溝を循環する。リードナット２８は、ロータに固定されており、それとともに回転してシャフト２６の軸方向の移動を引き起こす。」（第８頁第１５行〜第９頁第４行）
「ロータ１５ａとともに回転するリードナット２８の回転方向に応じて、シャフトは上方あるいは下方に移動する。シャフト２６はピン３１によって、インバートプロセスの駆動手段であるラック３２に固定されている。」（第９頁第９〜１１行）ことが記載されている。
　
３−３−３、刊行物３：特開平１０−１９０４１号公報
　ボールネジスプライン機構に関し、次の記載がある。
「【０００１】【発明の属する技術分野】本発明は、ボールネジ溝とボールスプライン溝とが形成された軸と、そのボールネジ溝と螺合しているボールネジナットと、そのボールスプライン溝と嵌合しているスプライン外筒とを備えるボールネジスプライン機構に関する。
【０００２】【従来の技術】ボールネジスプライン機構２は、図２に示されるように、一本の軸４を軸方向（ストローク方向）に所定距離だけ移動させたり、軸心回りに所定角度だけ回転させる機構であり、その軸４の外周面には螺旋状のボールネジ溝４ｂと複数本のスプライン溝４ｓとが形成されている。そして、前記軸４のボールネジ溝４ｂにボールネジナット６が螺合されており、スプライン溝４ｓにはスプライン外筒８が軸方向に摺動可能な状態で嵌合されている。・・・
【０００３】このため、前記第１モータによってボールネジナット６を軸４に対して相対回転させることによりネジの作用でその軸４をストローク方向に移動させることができる。・・・」
　
３−３−４、刊行物４：特開平９−１４２８５３号公報
　製瓶機の粗型成形装置に関し、図１に示されるプランジャ駆動装置の説明として、
「【００２０】各駆動機構２１は、・・・交流サーボモータ２３の正逆回転を往復運動に変換する動力変換機構２４を有する。この動力変換機構２４にプランジャ１が連繋されており、・・・プランジャ１が昇降動作する。・・・
【００２１】前記動力変換機構２４は、歯車機構２８とボールネジ機構２９とから成る。前記歯車機構２８は、交流サーボモータ２３の出力軸３２に装着された第１のギア３０と、・・・第２のギア３１とを含む。第２のギア３１には・・・ボールネジ３３が軸止され、このボールネジ３３は軸受３５により回転自由に支持されている。
【００２２】前記ボールネジ３３は、冷却空気をプランジャ１へ送り込むことが可能なよう内部が中空となっている。このボールネジ３３のねじ部にはナット３４が噛み合っており、・・・ナット３４には中空ロッド３７の下端が一体連結され、中空ロッド３７はナット３４と一体に往復昇降動作する。・・・
【００２３】前記中空ロッド３７の上端には・・・前記プランジャ１が連結されており、・・・前記プランジャ１の先端部が前記口型３および粗型４の型内に対して出没動作する。」ことが記載されている。
　
３−３−５、刊行物５：特開平９−２１０１７０号公報
　電動シリンダに関し、次の記載がある。
「【特許請求の範囲】
【請求項１】ケーシングの後側の内側に固定されたステータと、前記ケーシングにベアリングを介して回転自由に取付けられ、前記ステータからの磁界を受けて回転する中空のロータと、前記ロータに軸心を合わせて取付けられたボールネジナットと、前記ボールネジナットに螺合して、前記ロータの中空部を挿通するボールネジ軸部を有する作動ロッド　・・・　を有することを特徴とする電動シリンダ。
【請求項２】前記作動ロッドの前部はスプライン軸部となって、前記ケーシングの前部には前記スプライン軸部を摺動自在に支持するスプラインナットが固定されている請求項１記載の電動シリンダ。」
「【０００５】請求項１〜４記載の電動シリンダは、・・・ロータにボールネジナットを直接取付け、ボールネジナットに螺合するボールネジ軸部を有する作動ロッドをロータの中空部を挿通させて前後動させているので、作動ロッドの両側に軸受が省略でき、これによって全長が短くなる。・・・
　特に、請求項２記載の電動シリンダにおいては、作動ロッドの前部はスプライン軸部になって、スプラインナットに摺動自在に取付けられているので、作動ロッドの回転を防止でき、これによって外部に作動ロッドの回り止めを省略できる。」
　
４、対比・判断
　刊行物１には、前記摘記した記載を総合すると、プランジャ組立体１００は回転可能に支持された内部シリンダ２１０を含み、サーボモータ組立体２００が、モータステータ２０５と、内部シリンダ２１０とともに電機子を形成するように内部シリンダ２１０の外面に取付けられた磁石２０６とを含み、その内部シリンダ２１０はねじ孔２１１を含み、そのリードねじはロッド１６０に取付けられたプランジャローラ１９０によって係合され、プランジャヘッド１７１はロッド１６０に取付けられる構成とし、サーボモータ組立体２００を作動させて、プランジャ１７５をパリソン成型用金型に収容された溶融ガラスのゴブに向かって前進させ、プレスするようにした溶融ガラスのゴブを中空の物品に形成するための装置が記載されている。
　そして、刊行物１に記載の「溶融ガラスのゴブを中空の物品に形成するための装置」が、本件発明１でいう「サーボモータによってプランジャを上下に駆動し、このプランジャを上昇させて、粗型内でパリソンを成形するガラスびん成形機の粗型成形装置」に相当するものであることは上記の記載から明らかであり、また、刊行物１に記載のものにおいて、内部シリンダが上下に伸びる中空部を有し、プランジャの下降時には、ロッドがその中空部に格納されるものであることも明らかであって、その内部シリンダ２１０とその外面に取付けられた磁石２０６はともに電機子を形成するものであるから、本件発明１でいう「モータ本体」に相当するものといえる。そうすると、刊行物１には、
Ａ’．サーボモータによってプランジャを上下に駆動し、このプランジャを上昇させて、粗型内でパリソンを成形するガラスびん成形機の粗型成形装置において、
Ｂ’．サーボモータが上下に延びる中空部を有する回転自在なモータ本体を備え、
Ｃ’．このモータ本体の中空部にリードねじを形成し、このねじにロッドに取付けられたローラを螺合し、
Ｄ’．このロッドの上端部をプランジャの基端部に連結して、このプランジャの下降時には、ロッドがモータ本体の中空部に格納される構成とした
Ｆ’．ガラスびん成形機の粗型成形装置、
が記載されているものである。
　そこで、本件発明と刊行物１に記載のものとを対比すると、両者において、ＡとＡ’に記載された事項、ＢとＢ’に記載された事項、及びＦとＦ’に記載された事項はそれぞれ一致しているが、両者は次の点で少なくとも相違している。
相違点１：本件発明１が、モータ本体とプランジャの間に、Ｃに記載された事項及びＤに記載されたボールねじを有するものであるのに対し、刊行物１に記載のものはＣ’に記載された事項及びＤ’に記載されたロッドを有するものである点。
相違点２：本件発明１が、プランジャに冷却エアーを供給するためにＥに記載の事項を有するのに対し、刊行物１に記載のものではそのような事項を有しない点。
　次に、これら相違点について検討する。
　刊行物２には、前記摘記した記載を総合すると、パリソンを粗型から仕上型へサーボインバートする装置において、モータ１４は中空シャフトでできたロータ１５ａを備え、その中空シャフト１５ａは、内部にボールねじ軸２６を収納しており、ロータ（中空シャフト）にリードナット２８を固定し、リードナット２８に備えられたボールが、ボールねじ軸の螺旋溝を循環するようになっており、ロータとともに回転するリードナットの回転方向に応じて、ボールねじ軸が上方あるいは下方に移動する機構が記載されており、このロータ（中空シャフト）は本件発明１でいう「モータ本体」に相当するものであるから、刊行物２には、本件発明１のＣに記載された事項からなる機構が記載されているということができる。そして、刊行物２に記載された上記機構を、プランジャの駆動に組み入れることも適宜なし得ることといえるから、刊行物１に記載のものにおいて、相違点１における本件発明１のようにすることは当業者が容易に想到できるものである。
　そこでさらに、相違点２について検討する。
　刊行物２には、ボールねじ軸２６の冷却については何ら記載されていないので、他の刊行物について検討する。
　刊行物４には、前記摘記した記載を総合すると、交流サーボモータ２３によって回転駆動されるボールネジ３３のねじ部にナット３４が噛み合っており、ナット３４には中空ロッド３７の下端が一体連結されて、中空ロッド３７はナット３４と一体に往復昇降動作するようになっており、その中空ロッド３７の上端にプランジャ１が連結されており、さらに、ボールネジ３３は、冷却空気をプランジャ１へ送り込むことが可能なよう内部が中空となっているプランジャ駆動装置が記載されており、プランジャに冷却空気を供給する点で、本件発明１と一致するものが記載されている。
　しかしながら、本件発明１が、前記Ｃ、Ｄに記載されたように、「モータ本体の中空部にボールねじナットを固定し、このボールねじナットにボールねじを螺合し」、「プランジャの下降時には、当該ボールねじがモータ本体の中空部に格納される構成とし」た、すなわちナットを固定し、ボールねじを上下動させるのに対応して、ボールねじの「孔に上端部が連通し下端部が冷却エアーの供給口に連通する冷却チューブ」を備えるものであるのに対し、刊行物４に記載のものでは、冷却チューブを備えるものでない点で相違している。しかも、刊行物４に記載のものでは、ボールネジが上下動せず、ナットが中空ロッドとプランジャとともに上下動するものであるから、ボールネジの中空部は冷却空気の供給口と直接連通するものであり、ボールネジに冷却チューブを備えることを示唆するものではない。
　刊行物３には、一本の軸を軸方向（ストローク方向）に所定距離だけ移動させたり、軸心回りに所定角度だけ回転させる機構であるボールネジスプライン機構（段落【０００１】参照）、すなわち、本件発明１の上記Ｃに関連する事項について記載されているが、その機構をガラス成型機のプランジャの駆動に適用することやボールネジの冷却については何ら記載されていない。
　刊行物５には、ロータにボールネジナットを直接取付け、ボールネジナットに螺合するボールネジ軸部を有する作動ロッドをロータの中空部を挿通させて前後動させる電動シリンダ（特許請求の範囲の請求項１、段落【０００５】参照）に関して記載されているが、そのシリンダをガラス成型機のプランジャの駆動に適用することや作動ロッドの冷却については何ら記載されていない。
　そうすると、刊行物１〜５には、上記Ｃ及びＤの事項を有するガラスびん成形機の粗型成形装置において、相違点２に係るＥのようにすることは何ら記載されておらず、またそのようにすることを示唆するような記載もないから、刊行物１〜５に記載のものを組み合わせたとしても、前記相違点２における本件発明１のようにすることは、当業者が容易に想到し得るものではない。
　そして、本件発明１は、ガラスびん成形機の粗型成形装置において、上記Ｂ〜Ｄに記載された事項とともに上記Ｅに記載された事項を発明を特定する事項として有することにより、ボールねじがモータ本体の中空部内に格納されてプランジャの駆動機構がコンパクトになるとともに、ボールねじの孔を通じてプランジャに冷却エアーを供給でき、プランジャの外表面を冷却することができる（訂正明細書の段落【００３２】、【００３３】参照）という明細書に記載された顕著な効果を奏するものである。
　したがって、本件発明１は、刊行物１〜５に記載された発明に基づいて当業者が容易に発明をすることができたものではない。
　さらに、本件発明２は本件発明１を引用して記載された発明であって、本件発明１におけるボールねじの構造についてさらに特定した発明であるから、本件発明２についても本件発明１と同様に刊行物１〜５に記載された発明に基づいて当業者が容易に発明をすることができたものではない。
　
５、むすび
　以上のとおりであるから、特許異議申立の理由及び証拠によっては、本件発明１、２に係る特許を取り消すことはできない。
　また、他に本件発明１、２に係る特許を取り消すべき理由を発見しない。
　よって、結論のとおり決定する。
【異議決定日】
平成１４年９月２５日（２００２．９．２５）
【訂正の要旨】
訂正の要旨
１）特許請求の範囲の減縮を目的として、明細書の特許請求の範囲の請求項１において、
「【請求項１】　サーボモータによってプランジャを上下に駆動し、このプランジャを上昇させて、粗型内でパリソンを成形するガラスびん成形機の粗型成形装置において、
　サーボモータが上下に延びる中空部を有する回転自在なモータ本体を備え、
　このモータ本体の中空部にボールねじナットを固定し、
　このボールねじナットにボールねじを螺合し、
　このボールねじの上端部をプランジャの基端部に連結して、このプランジャの下降時には、当該ボールねじがモータ本体の中空部に格納される構成としたことを特徴とするガラスびん成形機の粗型成形装置。」とあるを、
「【請求項１】　サーボモータによってプランジャを上下に駆動し、このプランジャを上昇させて、粗型内でパリソンを成形するガラスびん成形機の粗型成形装置において、
　サーボモータが上下に延びる中空部を有する回転自在なモータ本体を備え、
　このモータ本体の中空部にボールねじナットを固定し、
　このボールねじナットにボールねじを螺合し、
　このボールねじの上端部をプランジャの基端部に連結して、このプランジャの下降時には、当該ボールねじがモータ本体の中空部に格納される構成とし、
前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成としたことを特徴とするガラスびん成形機の粗型成形装置。」に訂正する。
２）特許請求の範囲の減縮を目的として、明細書の特許請求の範囲の請求項３を削除する。
３）明りょうでない記載の釈明を目的として、明細書の段落【０００７】において、「当該ボールねじがモータ本体の中空部に格納される構成とした」とあるを、「当該ボールねじがモータ本体の中空部に格納される構成とし、前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成とした」に訂正する。
４）明りょうでない記載の釈明を目的として、明細書の段落【０００９】の「請求項３記載の発明は、請求項１又は請求項２記載のものにおいて、ボールねじが上下に貫通する孔を備え、この孔を通じて前記プランジャに冷却エアーを供給する構成としたことを特徴とするものである。」を削除する。
（５４）【発明の名称】
ガラスびん成形機の粗型成形装置
（５７）【特許請求の範囲】
　【請求項１】　サーボモータによってプランジャを上下に駆動し、このプランジャを上昇させて、粗型内でパリソンを成形するガラスびん成形機の粗型成形装置において、
　サーボモータが上下に延びる中空部を有する回転自在なモータ本体を備え、
　このモータ本体の中空部にボールねじナットを固定し、
　このボールねじナットにボールねじを螺合し、
　このボールねじの上端部をプランジャの基端部に連結して、このプランジャの下降時には、当該ボールねじがモータ本体の中空部に格納される構成とし、
　前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成としたことを特徴とするガラスびん成形機の粗型成形装置。
　【請求項２】　前記ボールねじがスプライン軸部を備え、これをスプラインナットで保持し、このボールねじの周方向の回転を規制したことを特徴とする請求項１記載のガラスびん成形機の粗型成形装置。
【発明の詳細な説明】
　【０００１】
　【発明の属する技術分野】
　本発明は、一般的にＩＳ型マシンと呼称されるガラスびん成形機の粗型成形装置に係り、特にパリソンを成形する粗型成形装置に関する。
　【０００２】
　【従来の技術】
　一般に、サーボモータによってプランジャを上下に駆動し、このプランジャの先端部を上昇させて、粗型内でパリソンを成形するガラスびん成形機の粗型成形装置が知られている（特開平９−１４２８５３号公報）。
　【０００３】
　この種の従来のものでは、サーボモータを用いるため、数値制御を行うことができ、プランジャのプレス速度、最終プレス力の最適化、マシン稼働中のローディングポジションの最適化等が可能になり、プランジャに起因して発生する様々なびん欠点を抑制できるという効果が得られる。
　【０００４】
　【発明が解決しようとする課題】
　しかしながら、上述した従来の構成では、サーボモータとプランジャとの間の駆動連結機構の構造が複雑になるという問題がある。
　【０００５】
　これら機構は狭隘なスペースに配置すべきところ、従来の構造では、連結機構が大型化し、これら機構を配置するためのスペースを取ることができず、実機に組み込むには実現不可能になるという問題がある。
　【０００６】
　そこで、本発明の目的は、サーボモータとプランジャとの間の駆動連結機構を簡素化し、これを組み込むにあたっての実現性を確保したガラスびん成形機の粗型成形装置を提供することにある。
　【０００７】
　【課題を解決するための手段】
　請求項１記載の発明は、サーボモータによってプランジャを上下に駆動し、このプランジャの先端部を上昇させて、粗型内でパリソンを成形するガラスびん成形機の粗型成形装置において、サーボモータが上下に延びる中空部を有する回転自在なモータ本体を備え、このモータ本体の中空部にボールねじナットを固定し、このボールねじナットにボールねじを螺合し、このボールねじの上端部をプランジャの基端部に連結して、このプランジャの下降時には、当該ボールねじがモータ本体の中空部に格納される構成とし、前記ボールねじが上下に貫通する孔を備え、この孔に上端部が連通し下端部が冷却エアーの供給口に連通する冷却チューブを備え、上下動するボールねじの孔を通じて前記プランジャに冷却エアーを供給する構成としたことを特徴とするものである。
　【０００８】
　請求項２記載の発明は、請求項１記載のものにおいて、ボールねじがスプライン軸部を備え、これをスプラインナットで保持し、このボールねじの周方向の回転を規制したことを特徴とするものである。
　【０００９】
　【発明の実施の形態】
　以下、本発明の一実施形態を図面を参照して説明する。
　【００１０】
　図１及び図２において、１はパリソンを成形するための粗型を示している。この粗型１内には、当該粗型１の下部に位置する口型３の開口３ａを通じてプランジャ５が進入（上下動）自在に構成されている。
　【００１１】
　プランジャ５を上下動させるための駆動機構５１は、当該プランジャ５の真下に設置されたサーボモータ７を備えている。
　【００１２】
　このサーボモータ７は、図３に示すように、ケーシング７ａと軸受板７ｂと底板７ｃと後述する冷却チューブ２５とを有し、更に、ケーシング７ａの内部に回転自在に収納されるモータ本体９を備えている。このモータ本体９は上下に延びる中空部９ａを備えている。
　【００１３】
　１０は軸受けであり、この軸受け１０はサーボモータ７が組み立てられた場合、軸受板７ｂの凹部７ｄに収納される。
　【００１４】
　また、１４はモータの電源ケーブル、１６はプランジャ５の位置を検出するためのエンコーダケーブルである。
　【００１５】
　このモータ本体９の中空部９ａには、図４に示すように、ボールねじナット１１が嵌合し、このボールねじナット１１はボルト１２を介してモータ本体９のフランジ９ｂに固定されている。
　【００１６】
　このボールねじナット１１にはボールねじ１３が螺合している。このボールねじ１３には長手方向に延びるスプライン軸部１３ａが形成され、この軸部１３ａにはスプラインナット１５が嵌合している。
　【００１７】
　このスプラインナット１５は、複数本のボルト１７を介して中間ハウジング１９に固定され、この中間ハウジング１９は上部ハウジング２１に連結されている。前記のボールねじ１３は、図２に示すように、上部ハウジング２１内に延在し、そこでコネクタ２３を介してプランジャ５の基端部５ａに連結されている。
　【００１８】
　そして、このプランジャ５が、図１に示すように、最下限位置にまで下降した場合、当該ボールねじ１３がモータ本体９の中空部９ａ内にすべて格納される構成となっている。
　【００１９】
　また、ボールねじ１３には上下に貫通する孔（図示せず）が形成され、この孔には冷却エアーを通すための冷却チューブ２５が連結されている。この冷却チューブ２５の上端部はプランジャ５の袋穴（図示せず）に連通し、その下端部は冷却エアーの供給口３０（図１）に連通している。
　【００２０】
　従って、冷却チューブ２５を通じて冷却エアーが供給されると、プランジャ５の外表面が冷却される。
　【００２１】
　このプランジャ５の基端部５ａに連結されたコネクタ２３は、図１に示すように、インナースリーブ２７に係合し、このインナースリーブ２７はコイルばね２９によって常時上方に付勢されている。
　【００２２】
　そして、プランジャ５の上昇の過程では、図２に示すように、インナースリーブ２７の先端が口型３の下端に嵌合し、それ以後は、このインナースリーブ２７に案内されてプランジャ５が粗型１内に進入する。
　【００２３】
　パリソンの成形時には、まず、図１の段階からプランジャ５が駆動機構５１を介してゴブローディング位置（ゴブを投入可能な位置であるが、図示は省略している。）にまで上昇し、この位置でゴブが上方から粗型１内に投入される。ついで、図２に示す位置にまで駆動機構５１を介してプランジャ５が上昇し、これによって粗型１内でゴブがプレスされ、パリソンが成形される。
　【００２４】
　この実施形態では、駆動機構５１に特徴を有する。
　【００２５】
　一般的に、この種のＩＳ型マシンでは、プランジャ５の真下に広いスペースが与えられていない。狭隘なスペースにサーボモータ７を設置するとなると、その出力軸の取り扱いに苦慮する。即ち、このサーボモータ７の上方に出力軸が突出する場合、その上方或いは側方に回転運動を往復運動に変換するための変換機構を設けることになる。この場合には、その駆動機構が大型化し、プランジャ５の真下へのサーボモータ７の設置が実現不可能になる。
　【００２６】
　この実施形態では、第一に、プランジャ５が下降した場合、ボールねじ１３がモータ本体９の中空部９ａ内にすべて格納される構成となっているので、駆動機構５１の上下方向の寸法を抑えることができる。
　【００２７】
　従って、駆動機構５１がコンパクトになり、プランジャ５の真下へのサーボモータ７の設置が実現可能になる。
　【００２８】
　第二に、ボールねじ１３には長手方向に延びるスプライン軸部１３ａが形成され、このスプライン軸部１３ａにはスプラインナット１５が嵌合し、このスプラインナット１５によってねじ１３が保持されているので、当該ボールねじ１３の周方向への回転が規制される。
　【００２９】
　従って、プランジャ５の上昇の過程で、プランジャ５が周方向に回転することがなく、パリソンの内表面に生じる欠点が抑制される。
　【００３０】
　第三に、このボールねじ１３は冷却エアーをプランジャ５に導くための冷却チューブ２５を備える。この冷却チューブ２５を通じて冷却エアーを供給することにより、プランジャ５の外表面を冷却することができる。
　【００３１】
　以上、一実施形態に基づいて本発明を説明したが、本発明は、これに限定されるものでないことは明らかである。
　【００３２】
　【発明の効果】
　請求項１記載の発明では、プランジャが下降した場合、ボールねじがモータ本体の中空部内に格納されるので、プランジャの駆動機構がコンパクトになり、プランジャの真下へのサーボモータの設置が実現可能になると共に、プランジャに冷却エアーを供給する構成としたので、冷却エアーを供給することにより、プランジャの外表面を冷却することができる。
　【００３３】
　請求項２記載の発明では、ボールねじがスプライン軸部を備え、これをスプラインナットで保持し、このボールねじの周方向の回転を規制したので、プランジャの上昇の過程で、プランジャが周方向に回転することがなく、例えばパリソンの内表面に生じる欠点が抑制される。
【図面の簡単な説明】
　【図１】
　本発明による粗型成形装置の一実施形態を示す断面図である。
　【図２】
　同じくプランジャが上昇した状態を示す断面図である。
　【図３】
　サーボモータを分解した状態を示す図である。
　【図４】
　プランジャの駆動機構を分解した状態を示す断面図である。
　【符号の説明】
　１　粗型
　３　口型
　５　プランジャ
　７　サーボモータ
　９　モータ本体
　９ａ　中空部
　１１　ボールねじナット
　１３　ボールねじ
　１５　スプラインナット
　２５　冷却チューブ
　５１　駆動機構